(57)【要約】      （修正有）【課題】スーパーマーケットなどでマイバッグの代わりに自前籠を用意し、上に店内籠を重ね、上の店内籠に対して下の自前籠が落下しないように固定することができる店内籠自前籠固定装置を提供する。【解決手段】金属プレート１１を店内籠１の底面９の下面へ孔を用いて装着し、この店内籠１を自前籠３の中に入れると、店内籠１の金属プレート１１を、下の自前籠３の磁石１９が吸着することで、下の自前籠３を上の店内籠１に固定できる。この状態で、上の店内籠１の取手を使用しても、下の自前籠３は落下しない。買物をして、代金を支払う時に、両籠を台の上に置くと、この台に押された押し上げ金具２１が、金属プレート１１を押し上げ磁石１９から離すので、上の店内籠１だけを持上げれば、店内籠１の固定を解除できる。その後に、金属プレート１１を店内籠１の底面９から外す。 【選択図】図１
0003170279.tif 000002
【実用新案登録請求の範囲】
【請求項１】
店内に備えてある店内籠を自前籠の中に入れ、両籠を上下に重ね固定した状態で店内での買物をするために、少なくとも底面に多くの孔を格子状に有する前記店内籠に対して、前記底面の下面へ前記孔を用いて装着でき、装着した状態で所定寸法だけ上下動可能な金属プレートと、前記店内籠と同じ大きさと形状で、少なくとも底面に多くの孔を格子状に有する前記自前籠に対して、前記底面の上面に固設され前記金属プレートを吸着することで前記店内籠を固定する磁石と、前記自前籠に対して、前記底面の前記孔に貫通して上下動可能に設けられ、前記両籠を上下に重ね固定した状態で台の上に置くと、この台に押されることで前記金属プレートを押し上げ前記磁石から離すことで前記店内籠の固定を解除する押し上げ金具と、を有することを特徴とする店内籠自前籠固定装置。
【請求項２】
前記自前籠は、他の自前籠と上下に重ね固定した状態で運ぶために、前記底面の下面に設けられ上下動可能な第２金属プレートと、この第２金属プレートに接続した状態で前記自前籠の中に設けられて、手で引上げられることで前記第２金属プレートを前記磁石から離すことで前記他の自前籠の固定を解除する引上げ具と、を有することを特徴とする請求項１に記載の店内籠自前籠固定装置。
【請求項３】
前記金属プレートは、水平な板状の本体と、この本体の周囲の複数箇所に設けられ上方へ延び弾性によって内側へ撓んで前記孔を貫通するアームと、このアームの上端に外側へ屈曲して形成され前記アームの撓みが戻ることで前記孔の上縁に係止する爪と、を有してなり、前記磁石は、前記金属プレートよりも小さな板状であり、前記押し上げ金具は、前記底面の上面に配置され前記金属プレートより小さく前記磁石よりも大きな枠体と、この枠体の周囲の複数箇所に設けられ下方へ延び前記孔を貫通する脚部と、を有してなることを特徴とする請求項１または２に記載の店内籠自前籠固定装置。
【請求項４】
前記第２金属プレートは、前記枠体よりも小さく、紐材により吊り下げられることで前記上下動可能となり、この紐材が前記引上げ具となることを特徴とする請求項２または３に記載の店内籠自前籠固定装置。 
【考案の詳細な説明】
【技術分野】
【０００１】
この考案は、スーパーマーケットなどの店内に備えてある店内籠を自前籠の中に入れ、両籠を上下に重ね固定した状態で店内での買物をするための固定装置に関する。
【背景技術】
【０００２】
スーパーマーケットなどで代金を支払った後に買物を入れるレジ袋を節約するために、自宅からいわゆるマイバッグを用意し、ひいては地球環境保護に寄与しようとする運動が盛んである。このマイバッグを用意しても、店内の買物には、店内に備えてある店内籠を用いなければならない。店内籠の中の買物を窮屈なマイバッグへ押し込む作業は、面倒である。大家族を有する場合や飲食店を経営する場合などには、買物の量は多くなり、更に面倒である。
【０００３】
他方、マイバッグではなく、店内籠と同じような形状と大きさの自前籠を用意すれば、店内籠の中の買物を自前籠へ移す作業は、容易である。しかし店内で、店内籠と自前籠の両方を両手に持って買物するのは、両手がふさがり、不便である。
そして、店内籠を自前籠の中に入れ、両籠を上下に重ねた状態で買物すれば、片手が空き、便利である。
なお、下記特許文献１には、複数の店内籠を重ねて保持する装置が記載される。
【先行技術文献】
【特許文献】
【０００４】
【特許文献１】欧抄１８３２２０７
【考案の概要】
【考案が解決しようとする課題】
【０００５】
しかしながら、店内籠と自前籠を同じ大きさと形状とし、上下に重ねた状態にすると、籠の取手は、上の店内籠の取手を使用するしかない。下の自前籠の取手は、上の店内籠の縁部に干渉して持ち上がらず、使用できないからである。そこで、上の店内籠の取手を使用して籠を手にさげると、上の店内籠に対して下の自前籠が落下してしまう。
【０００６】
この考案は、以上の問題点を解決するために、上の店内籠に対して下の自前籠が落下しないように固定することができる店内籠自前籠固定装置を提供することを目的とする。
【課題を解決するための手段】
【０００７】
以上の課題を解決するために、第一考案は、店内に備えてある店内籠を自前籠の中に入れ、両籠を上下に重ね固定した状態で店内での買物をするために、少なくとも底面に多くの孔を格子状に有する前記店内籠に対して、前記底面の下面へ前記孔を用いて装着でき、装着した状態で所定寸法だけ上下動可能な金属プレートと、前記店内籠と同じ大きさと形状で、少なくとも底面に多くの孔を格子状に有する前記自前籠に対して、前記底面の上面に固設され前記金属プレートを吸着することで前記店内籠を固定する磁石と、前記自前籠に対して、前記底面の前記孔に貫通して上下動可能に設けられ、前記両籠を上下に重ね固定した状態で台の上に置くと、この台に押されることで前記金属プレートを押し上げ前記磁石から離すことで前記店内籠の固定を解除する押し上げ金具と、を有することを特徴とする店内籠自前籠固定装置である。
【０００８】
第二考案は、更に、前記自前籠は、他の自前籠と上下に重ね固定した状態で運ぶために、前記底面の下面に設けられ上下動可能な第２金属プレートと、この第２金属プレートに接続した状態で前記自前籠の中に設けられて、手で引上げられることで前記第２金属プレートを前記磁石から離すことで前記他の自前籠の固定を解除する引上げ具と、を有することを特徴とする店内籠自前籠固定装置である。
【０００９】
第三考案は、更に、前記金属プレートは、水平な板状の本体と、この本体の周囲の複数箇所に設けられ上方へ延び弾性によって内側へ撓んで前記孔を貫通するアームと、このアームの上端に外側へ屈曲して形成され前記アームの撓みが戻ることで前記孔の上縁に係止する爪と、を有してなり、前記磁石は、前記金属プレートよりも小さな板状であり、前記押し上げ金具は、前記底面の上面に配置され前記金属プレートより小さく前記磁石よりも大きな枠体と、この枠体の周囲の複数箇所に設けられ下方へ延び前記孔を貫通する脚部と、を有してなることを特徴とする店内籠自前籠固定装置である。
【００１０】
第四考案は、更に、前記第２金属プレートは、前記枠体よりも小さく、紐材により吊り下げられることで前記上下動可能となり、この紐材が前記引上げ具となることを特徴とする店内籠自前籠固定装置である。 
【考案の効果】
【００１１】
第一、第二、第三、又は第四考案によれば、以下の手順により、店内籠を自前籠の中に入れ、両籠を上下に重ね固定した状態で、店内での買物を行なうことができる。金属プレートは店内籠の底面の下面へ孔を用いて装着される。そして、この店内籠を自前籠の中に入れる。そうすると、店内籠の金属プレートを、下の自前籠の磁石が吸着することで、下の自前籠を上の店内籠に固定できる。この状態で、上の店内籠の取手を使用して、両籠を持ち、店内での買物を行なう。上の店内籠に対して下の自前籠は落下しない。 
【００１２】
その後、代金を支払う為に、両籠をレジ台の上に置くと、この台に押された押し上げ金具が、金属プレートを押し上げ磁石から離す。この状態で上の店内籠だけを持上げれば、店内籠の固定を解除できる。このようにして店内籠と自前籠を分離した後、店内籠に入っている買物を、自前籠へ移し会計をする。 
【００１３】
なお、両籠を台の上に置いても、固定を解除したくないときには、上の店内籠と共に上の自前籠を持上げればよい。そうすると、押し上げ金具は、台から離れ、押し上げられなくなり自重により落下するので、金属プレートは磁石に再び吸着され、店内籠の固定は解除されない。
【００１４】
第二、第三、又は第四考案によれば、更に、以下の手順により、自前籠は、他の自前籠と上下に重ね固定した状態で運ぶことができる。すなわち、自前籠を他の自前籠の中に入れ、両籠を上下に重ねると、上の自前籠の金属プレートを、下の自前籠の磁石が吸着することで、両自前籠に固定できる。この状態で、上の自前籠の取手を使用して、両籠を持ち、運ぶことができる。上の自前籠に対して下の自前籠は落下しない。そして、引上げ具を手で引上げることで、第２金属プレートを磁石から離すことができ、他の自前籠の固定を解除できる。また、重ねる自前籠は、二つには限らず、いくつもの自前籠を重ねた状態で運ぶことができる。
【００１５】
第三、又は第四考案によれば、更に、金属プレートは、シンプルな形状により、容易に着脱が行える。すなわち、装着時には、複数のアームを手で内側へつまんで撓ませ、底面の孔を貫通させ、貫通後に、手を離せば、アームの撓みが戻ることで、アーム上端の爪が孔の上縁に係止し、容易に装着ができる。金属プレートを外すときには、逆に、複数のアームを手で内側へつまんで撓ませば、爪が孔の上縁から外れるので、そのままアームを底面の孔から外せば良い。
【００１６】
また、磁石及び押し上げ金具も、シンプルな形状により、確実に機能を果たすことができる。
第四考案によれば、更に、紐材が、第２金属プレートを吊り下げて上下動可能とするとともに、第２金属プレートを引上げる引上げ具となるので、シンプルな構造で、装置コストを低減できる。
【図面の簡単な説明】
【００１７】
【図１】この考案の一実施形態を示すもので、店内籠を自前籠の中に入れ、両籠を上下に重ね固定した状態を示す縦断面図であり、（Ａ）は全体図、（Ｂ）は（Ａ）の要部拡大図である。
【図２】（Ａ）は図１のＩＩＡ方向から見た斜視図、（Ｂ）は図１のＩＩＢ方向から見た斜視図である。
【図３】図１の固定を解除した状態を示す縦断面図であり、（Ａ）は全体図、（Ｂ）は（Ａ）の要部拡大図である。
【図４】図１の自前籠を他の自前籠の中に入れ、両籠を上下に重ね固定した状態を示す縦断面図であり、（Ａ）は全体図、（Ｂ）は（Ａ）の要部拡大図である。
【図５】図４の固定を解除した状態を示す縦断面図であり、（Ａ）は全体図、（Ｂ）は（Ａ）の要部拡大図である。
【考案を実施するための形態】
【００１８】
この考案の一実施形態を、図１〜図５に示す。
この実施形態は、スーパーマーケットなどの店内に備えてある店内籠１を、自前籠３の中に入れ、両籠を上下に重ね固定した状態（図１（Ａ）参照）で店内での買物をするための店内籠自前籠固定装置５である。両籠は、同じ大きさと形状であり、共に、底面を含めた全体面に、多くの孔７（図２参照）を格子状に有する。
【００１９】
図１、図２（Ａ）に示すように、店内籠１に対して、底面９の下面へ、孔７を用いて、金属プレート１１を着脱自在に設ける。店内籠１は、傷つけることなく使用する必要があり、加工はできない。この金属プレート１１は、装着した状態で、底面９に対して、所定寸法だけ上下動可能である。図２（Ａ）に示すように、この金属プレート１１は、四角形で水平な金属製の板状の本体１３を有し、この本体１３の周囲の４箇所にアーム１５が設けられ、このアーム１５は上方へ延び、上端には外側へ屈曲して爪１７が形成される。爪１７の大きさは孔７よりもやや小さい。アーム１５は、手でつままれると弾性によって内側へ撓む。撓むことで、爪１７の位置が孔７の位置に適合し、爪１７は孔７を貫通できる。貫通後に手を離すと、アーム１５の撓みが戻ることで、孔７の上縁に爪１７が係止する。
【００２０】
図１、図２（Ｂ）に示すように、自前籠３に対して、底面９の上面に磁石１９を接着などで固設する。図２（Ｂ）に示すように、この磁石１９は、板状の四角形で、金属プレート１１よりも小さい。そして、金属プレート１１を吸着することで店内籠１を固定する吸着力を有する。
磁石１９の周囲に、押し上げ金具２１が設けられる。押し上げ金具２１は、自前籠３の底面９の孔７に貫通して、上下動可能に設けられる。これにより、図３に示すように、両籠を上下に重ね固定した状態で台２３の上に置くと、押し上げ金具２１は、この台２３に押されることで金属プレート１１を、押し上げ、磁石１９から離す。これにより、店内籠１の固定を解除する。
【００２１】
図２（Ｂ）に示すように、この押し上げ金具２１は、枠体２５と脚部２７からなる。枠体２５は、四角形で、底面９の上面に配置され、金属プレート１１より小さく、磁石１９よりも大きい。脚部２７は、この枠体２５の周囲の角部４箇所に設けられ、下方へ延び、孔７を貫通する。貫通した先端部が、台２３に接する。
【００２２】
図４、図２（Ｂ）に示すように、また、自前籠３は、他の自前籠３と上下に重ね固定した状態で運ぶために、磁石１９により固定を行なう第２金属プレート２９と、固定を解除する引上げ具３３を備える。第２金属プレート２９は、自前籠３の底面９の下面に設けられ、枠体２５よりも小さく、紐材３１により吊り下げられることで上下動可能とされる。この紐材３１は、細いワイヤであり、引上げ具３３としても働く。すなわち、紐材３１は、この第２金属プレート２９の上面の係止部３５に中央が接続した状態で、中央の両側は自前籠３の中に配置され、両端が籠内に固定されて設けられ、図５に示すように、自前籠３の中の部分が手で引上げられることで第２金属プレート２９を磁石１９から離す。これにより、他の自前籠３の固定を解除する。
【００２３】
「考案の作用・効果」
この実施形態によれば、以下の手順により、スーパーマーケットなどで、店内籠１を自前籠３の中に入れ、両籠を上下に重ね固定した状態で、店内での買物を行なうことができ、再び、店内籠１を元の状態に戻すことができる。
【００２４】
１）  まず、この実施形態において装置の使用者は、店内の入り口に置いてある店内籠１の一つを手に取り、図２（Ｂ）に示すように、金属プレート１１を、その店内籠１の底面９の下面へ、底面９の孔７を用いて装着する。すなわち、金属プレート１１の４つのアーム１５を手で内側へつまんで撓ませ、底面９の孔７を貫通させ、貫通後に、手を離せば、アーム１５の撓みが戻ることで、アーム上端の爪１７が孔７の上縁に係止し、容易に装着ができる。
【００２５】
２）  そして、この店内籠１を自前籠３の中に入れる。そうすると、図１に示すように、店内籠１の金属プレート１１を、下の自前籠３の磁石１９が吸着することで、上の店内籠１を下の自前籠３に固定できる。
３）  この状態で、上の店内籠１の図示しない取手を使用して、両籠を持ち、店内での買物を行なう。買物は、上の籠である店内籠１に入れられることになる。前述したように、磁石１９の働きで、の店内籠１に対して下の自前籠３は落下しない。
４）  その後に、両籠をレジ台２３の上に置くと、図３に示すように、この台２３に押された（図中のＰ１参照）押し上げ金具２１が、金属プレート１１を押し上げ（図中のＰ２参照）磁石１９から離す。この状態で上の店内籠１だけを持上げれば、店内籠１の固定を解除できる。
【００２６】
５）  もしこの時、両籠の固定を解除したくない場合には、上の店内籠１と共に上の自前籠３を持上げればよい。そうすると、図３の状態から、押し上げ金具２１は、台２３から離れ、押し上げられなくなり自重により落下するので、金属プレート１１は磁石１９に再び吸着され、図１の状態に戻るので、店内籠１の固定は解除されない。
６）  ４）のようにして店内籠１と自前籠３を分離した後、 店内籠１に入っている買物を、自前籠３へ移し会計をする。
７）  その後に、金属プレート１１を店内籠１の底面９から外す。金属プレート１１を外すときには、前記１）とは逆に、複数のアーム１５を手で内側へつまんで撓ませば、爪１７が孔７の上縁から外れるので、そのままアーム１５を底面９の孔７から外せば良い。金属プレート１１を外した店内籠１は店内の入り口に戻す。買物を入れた自前籠３を持ち帰る。
【００２７】
また、この実施形態によれば、以下の手順により、自前籠３は、他の自前籠３と上下に重ね固定した状態で運ぶことができる。
１］  図４に示すように、自前籠３を他の自前籠３の中に入れ、両籠を上下に重ねると、上の自前籠３の第２金属プレート２９を、下の自前籠３の磁石１９が吸着することで、両自前籠に固定できる。
２］  この状態で、上の自前籠３の取手を使用して、両籠を持ち、運ぶことができる。上の自前籠３に対して下の自前籠３は落下しない。自前籠３を二つ使用したいときに便利である。
３］  重ねる自前籠３は、二つには限らず、いくつもの自前籠３を重ねた状態で運ぶことができる。
４］  そして、図５に示すように、引上げ具３３である紐材３１を手で引上げる（図中のＦ）ことで、第２金属プレートを磁石から離すことができ、下の他の自前籠の固定を解除できる。そのようにして、次々と、下の他の自前籠の固定を解除すれば、全ての他の自前籠の固定を解除できる。
なお、金属プレート１１は、シンプルな形状により、容易に着脱が行える。
また、磁石及び押し上げ金具２１も、シンプルな形状により、確実に機能を果たすことができる。
更に、紐材３１が、第２金属プレート２９を吊り下げて上下動可能とするとともに、第２金属プレート２９を引上げる引上げ具３３となるので、シンプルな構造で、装置コストを低減できる。
【００２８】
「他の実施形態」
以上の実施形態では、金属プレート１１は、水平な板状の本体１３と、アーム１５と、爪１７と、を有してなるものであったが、他の実施形態では、このような形状に限らない。着脱可能で、装着した状態で所定寸法だけ上下動可能なものであれば、構わない。例えば、第２金属プレート２９のように、金属製の板が紐材３１の中央で吊り下げられ、この紐の両端は、籠内でワンタッチで固定される固定手段が設けられるものでもよい。
【００２９】
以上の実施形態では、磁石１９、第２金属プレート２９、押し上げ金具２１、金属プレート１１は各々四角形を有するものであり、この順に大きいものであったが、他の実施形態では、これらの形状を四角としなければ、大きさの関係は、この順にする必要はない。例えば、押し上げ金具２１を金属プレート１１よりも大きくし、大きな押し上げ金具２１の内側に、内側へ向かう放射状の支持部を設け、これらの支持部の内側先端で、金属プレート１１を押し上げることもできる。
【００３０】
以上の実施形態では、第２金属プレート２９は、紐材３１により吊り下げられるものとしたが、他の実施形態では、紐材３１に限る必要はない。第２金属プレートを支持して上下に自在に伸縮する伸縮機構と、この伸縮機構を伸びた状態から縮めるレバーと、を備えても良い。
以上の実施形態では、この装置の使用者が、入店の際にまず、金属プレートを店内籠の底面の下面へ孔を用いて装着し、買物後に、金属プレートを店内籠の底面から外す、としたが、他の実施形態では、店側の全面協力によって、すべての店内籠の底面に金属プレートを装着済みとすることが可能である。
【符号の説明】
【００３１】
１…店内籠、３…自前籠、５…店内籠自前籠固定装置、７…孔、９…底面、１１…金属プレート、１３…本体、１５…アーム、１７…爪、１９…磁石、２１…押し上げ金具、２３…台、２５…枠体、２７…脚部、２９…第２金属プレート、３１…紐材、３３…引上げ具、３５…係止部。
【図１】
0003170279.tif 000003
【図２】
0003170279.tif 000004
【図３】
0003170279.tif 000005
【図４】
0003170279.tif 000006
【図５】
0003170279.tif 000007